(57)【要約】【課題】ダイニング廻りに収納部を確保し、ダイニングスペースとリビングスペースとを一連の空間としつつも区分し得る収納構造及び収納システムを提供する。【解決手段】収納構造は、キッチンスペース７とダイニングスペース８との間に設けられた対面式のキッチンカウンター３７の壁２側の端部から連続するように、前記ダイニングスペースの前記壁に沿わせるように第１キャビネット１０を設け、この第１キャビネットの反キッチンカウンター側の端部から連続するようにかつ前記キッチンカウンターと略平行状に、前記ダイニングスペースとこれに隣接するリビングスペース９とを区分するように第２キャビネット２０を設け、前記第１キャビネット上面の高さＨ１を、前記キッチンカウンター上面及び前記第２キャビネット上面の高さＨ３，Ｈ２よりも低くし、前記第１キャビネットの奥行寸法Ｄ１を、前記第２キャビネットの奥行寸法Ｄ２よりも小さくしている。【選択図】図１
2014094066.tif 000002
【特許請求の範囲】
【請求項１】
キッチンスペースとダイニングスペースとの間に設けられた対面式のキッチンカウンターの壁側の端部から連続するように、前記ダイニングスペースの前記壁に沿わせるように第１キャビネットを設け、
この第１キャビネットの反キッチンカウンター側の端部から連続するようにかつ前記キッチンカウンターと略平行状に、前記ダイニングスペースとこれに隣接するリビングスペースとを区分するように第２キャビネットを設け、
前記第１キャビネット上面の高さを、前記キッチンカウンター上面及び前記第２キャビネット上面の高さよりも低くし、前記第１キャビネットの奥行寸法を、前記第２キャビネットの奥行寸法よりも小さくしたことを特徴とする収納構造。
【請求項２】
請求項１において、
前記第２キャビネットの天板を、前記キッチンカウンターと同色同柄状としたことを特徴とする収納構造。
【請求項３】
請求項１または２において、
前記第２キャビネットの収納部全体を、前記リビングスペース側に開口させたことを特徴とする収納構造。
【請求項４】
請求項１または２において、
前記第２キャビネットの前記壁側の側面を該壁に当接させ、この第２キャビネットの壁側の端部に前記第１キャビネットの反キッチンカウンター側の側面を当接させた構造とし、かつ、前記第２キャビネットに当該第２キャビネットの間口方向を区画するように複数の収納部を設け、これら複数の収納部のうちの少なくとも前記壁側の収納部を前記リビングスペース側に開口させ、反壁側の収納部の少なくとも一つを前記ダイニングスペース側に開口させたことを特徴とする収納構造。
【請求項５】
請求項３または４において、
前記第２キャビネットに、前記収納部の開口を開閉する扉を設けたことを特徴とする収納構造。
【請求項６】
請求項１乃至５のいずれか１項において、
前記第２キャビネット上面を、前記キッチンカウンター上面と略同高さとしたことを特徴とする収納構造。
【請求項７】
請求項１乃至５のいずれか１項において、
前記第２キャビネット上面を、前記キッチンカウンター上面よりも低くしたことを特徴とする収納構造。
【請求項８】
キッチンスペースとダイニングスペースとの間に設けられた対面式のキッチンカウンターの壁側の端部から連続するように、前記ダイニングスペースの前記壁に沿うように設置される第１キャビネットと、
この第１キャビネットの反キッチンカウンター側の端部から連続するようにかつ前記キッチンカウンターと略平行状に、前記ダイニングスペースとこれに隣接するリビングスペースとを区分するように設置される第２キャビネットと、を備えており、
前記第１キャビネットの高さ寸法を、前記キッチンカウンターの床面から上面までの高さ寸法及び前記第２キャビネットの高さ寸法よりも小さくし、前記第１キャビネットの奥行寸法を、前記第２キャビネットの奥行寸法よりも小さくしたことを特徴とする収納システム。
【発明の詳細な説明】
【技術分野】
【０００１】
本発明は、住居等の建物内の収納構造及び住居等の建物内に設置される収納システムに関する。
【背景技術】
【０００２】
従来より、キッチン等に設置される収納家具（キャビネット）が知られている。
例えば、下記特許文献１には、一側部が壁面に沿い、他側部がキッチンとダイニングを仕切るようにして床面上に配置される収納家具が提案されている。この収納家具は、キッチン側から収納物を出し入れ可能な正面収納空間とダイニング側から収納物を出し入れ可能な背面収納空間とを設けた構造とされている。また、この収納家具は、そのダイニング側に、シンクを配した天板よりも立ち上がる立上壁を設け、その上面にカウンターを設けた構造とされている。
【先行技術文献】
【特許文献】
【０００３】
【特許文献１】特開平１１−２９９５５４号公報
【発明の概要】
【発明が解決しようとする課題】
【０００４】
上記特許文献１に記載された収納家具によれば、ダイニング側にも収納を設けることができるものではあるが、キッチン側を主とした収納家具であるため、ダイニング側における容量が小さくなるという問題があった。また、近年では、ダイニングとリビングとを壁等によって区画せずに、一つの空間とした間取りが多く採用されているが、一連の空間としつつもダイニングとリビングとを区分したいという要望があった。
【０００５】
本発明は、上記実情に鑑みてなされたものであり、ダイニング廻りに収納部を確保し、ダイニングスペースとリビングスペースとを一連の空間としつつも区分し得る収納構造及び収納システムを提供することを目的としている。
【課題を解決するための手段】
【０００６】
上記目的を達成するために、本発明に係る収納構造は、キッチンスペースとダイニングスペースとの間に設けられた対面式のキッチンカウンターの壁側の端部から連続するように、前記ダイニングスペースの前記壁に沿わせるように第１キャビネットを設け、この第１キャビネットの反キッチンカウンター側の端部から連続するようにかつ前記キッチンカウンターと略平行状に、前記ダイニングスペースとこれに隣接するリビングスペースとを区分するように第２キャビネットを設け、前記第１キャビネット上面の高さを、前記キッチンカウンター上面及び前記第２キャビネット上面の高さよりも低くし、前記第１キャビネットの奥行寸法を、前記第２キャビネットの奥行寸法よりも小さくしたことを特徴とする。
【０００７】
本発明においては、前記第２キャビネットの天板を、前記キッチンカウンターと同色同柄状としてもよい。
また、本発明においては、前記第２キャビネットの収納部全体を、前記リビングスペース側に開口させてもよい。
また、本発明においては、前記第２キャビネットの前記壁側の側面を該壁に当接させ、この第２キャビネットの壁側の端部に前記第１キャビネットの反キッチンカウンター側の側面を当接させた構造とし、かつ、前記第２キャビネットに当該第２キャビネットの間口方向を区画するように複数の収納部を設け、これら複数の収納部のうちの少なくとも前記壁側の収納部を前記リビングスペース側に開口させ、反壁側の収納部の少なくとも一つを前記ダイニングスペース側に開口させてもよい。
また、本発明においては、前記第２キャビネットに、前記収納部の開口を開閉する扉を設けてもよい。
また、本発明においては、前記第２キャビネット上面を、前記キッチンカウンター上面と略同高さとしてもよい。
また、本発明においては、前記第２キャビネット上面を、前記キッチンカウンター上面よりも低くしてもよい。
【０００８】
また、上記目的を達成するために、本発明に係る収納システムは、キッチンスペースとダイニングスペースとの間に設けられた対面式のキッチンカウンターの壁側の端部から連続するように、前記ダイニングスペースの前記壁に沿うように設置される第１キャビネットと、この第１キャビネットの反キッチンカウンター側の端部から連続するようにかつ前記キッチンカウンターと略平行状に、前記ダイニングスペースとこれに隣接するリビングスペースとを区分するように設置される第２キャビネットと、を備えており、前記第１キャビネットの高さ寸法を、前記キッチンカウンターの床面から上面までの高さ寸法及び前記第２キャビネットの高さ寸法よりも小さくし、前記第１キャビネットの奥行寸法を、前記第２キャビネットの奥行寸法よりも小さくしたことを特徴とする。
【発明の効果】
【０００９】
本発明に係る収納構造及び収納システムは、上述のような構成としたことで、ダイニング廻りに収納部を確保することができ、また、ダイニングスペースとリビングスペースとを一連の空間としつつも区分することができる。
【図面の簡単な説明】
【００１０】
【図１】本発明の一実施形態に係る収納構造の一例及び本発明の一実施形態に係る収納システムの一例を模式的に示す一部破断概略斜視図である。
【図２】同収納構造及び同収納システムを模式的に示す一部破断概略平面図である。
【図３】（ａ）は、同収納構造及び同収納システムを模式的に示す概略側面図、（ｂ）は、同収納構造及び同収納システムの一変形例を模式的に示す概略側面図である。
【図４】（ａ）、（ｂ）は、同収納構造及び同収納システムの他の変形例をそれぞれ模式的に示す一部破断概略平面図である。
【発明を実施するための形態】
【００１１】
以下に本発明の実施の形態について、図面に基づいて説明する。
図１〜図４は、本実施形態に係る収納構造及び収納システムの一例を模式的に示す図である。
なお、一部の図では、他図に付している詳細な符号の一部を省略している。
また、以下の実施形態では、本実施形態に係る収納システムを設置した状態を基準として、上下方向等を原則的に説明する。
【００１２】
本実施形態に係る収納構造に用いられる本実施形態に係る収納システム１は、図１及び図２に示すように、キッチンスペース７とダイニングスペース８との間に設けられた対面式のキッチンカウンター３７の壁２側の端部から連続するように、ダイニングスペース８の壁２に沿うように設置される第１キャビネット１０を備えている。また、収納システム１は、この第１キャビネット１０の反キッチンカウンター側の端部から連続するようにかつキッチンカウンター３７と略平行状に、ダイニングスペース８とこれに隣接するリビングスペース９とを区分するように設置される第２キャビネット２０を備えている。
【００１３】
本実施形態に係る収納構造は、上記第１キャビネットとしての壁際キャビネット１０を、キッチンカウンター３７の壁２側の端部から連続するようにダイニングスペース８の壁２に沿わせるように設けた構造とされている。また、この収納構造は、上記第２キャビネットとしての仕切キャビネット２０を、壁際キャビネット１０の反キッチンカウンター側の端部から連続するようにかつキッチンカウンター３７と略平行状に、ダイニングスペース８とこれに隣接するリビングスペース９とを区分するように設けた構造とされている。
【００１４】
本実施形態では、図２に示すように、キッチンカウンター３７の長手方向（間口方向）一端部が当接される第１壁２と、この第１壁２に隣接する第２壁３及び第３壁４と、これら第２壁３及び第３壁４に隣接する第４壁５と、によって四方が区画されたスペース６内に、収納システム１を設置した例を示している。
このスペース６は、間仕切壁等によって区画されておらず、一連の空間とされている。本実施形態では、このスペース６内に、キッチンスペース７、ダイニングスペース８及びリビングスペース９を設け、このスペース６をＬＤＫスペース６としている。また、本実施形態では、これらキッチンスペース７、ダイニングスペース８及びリビングスペース９を、第１壁２にそれぞれ隣接し、互いに対向する第２壁３と第３壁４との対向方向に沿って第２壁３から第３壁４に向けてこの順に一列状に設けた例を示している。
【００１５】
第１壁２は、図例では、屋内外を区画する壁とされ、キッチンスペース７の部位に屋内外の出入口としての勝手口を設け、ダイニングスペース８及びリビングスペース９のそれぞれの部位に腰高窓を設けた構成とされている（図１も参照）。この第１壁２に対して直交方向に長手方向を沿わせるようにキッチンカウンター３７が設けられている。
第２壁３は、図例では、屋内外を区画する壁とされ、小窓を設けた構成とされている。この第２壁３との間にキッチンスペース７を形成するようにキッチンカウンター３７が設けられている。また、この第２壁３に沿うように、カップボード等の種々の収納家具や冷蔵庫等のキッチン廻りで必要な家具や家電製品が設置される。
【００１６】
第３壁４は、図例では、屋内外を区画する壁とされ、掃出窓等を設けた構成とされている。
第４壁５は、図例では、ＬＤＫスペース６とこれに隣接する廊下等の室内とを区画する壁とされ、ＬＤＫスペース６とこれに隣接する室内との出入口を設けた構成とされている。図例では、第４壁５のダイニングスペース８の部位に出入口を設けた例を示している。なお、第４壁５に単一の出入口を設けた態様に代えて、ＬＤＫスペース６とこれに隣接する洗面室や手洗室等との出入口を更に設けるようにしてもよい。
【００１７】
なお、図例では、ＬＤＫスペース６を、平面視して、第２壁３と第３壁４との対向方向に長い略長方形状とした例を示しているが、第１壁２と第４壁５との対向方向に長い略長方形状としたり、略正方形状としたりしてもよい。
また、このようにＬＤＫスペース６の四方を壁によって区画した態様に代えて、例えば、四方壁の少なくともいずれか一つの壁（例えば、第４壁５）の一部を、和室（畳コーナー）や廊下、洗面室、階段、玄関スペース等の隣接屋内スペースに連通するように形成し、隣接屋内スペースとＬＤＫスペース６とが一連の空間とされたものとしてもよい。
【００１８】
キッチンカウンター３７は、本実施形態では、床上に設置されるいわゆるシステムキッチンのフロアユニットを構成する厨房家具３０に設けられている。
厨房家具３０は、単一または複数のキャビネットの上面側に、調理台天板としてのキッチン天板３１を設けた構成とされている。
キッチン天板３１は、略矩形平板状とされており、例えば、合成樹脂や充填材等を含有した成形用樹脂組成物を硬化させて形成された人造大理石から形成されたものとしてもよい。このキッチン天板３１の床面から上面までの高さ寸法（キッチン天板３１が設けられた部位の厨房家具３０自体の高さ寸法）Ｈ４（図３（ａ）参照）は、立位状態で作業し易い成人の腰高さ付近となるように、適宜、設定するようにしてもよい。例えば、この高さ寸法Ｈ４を、７５０ｍｍ〜９５０ｍｍ程度、好ましくは８００ｍｍ〜９００ｍｍ程度としてもよい。
【００１９】
また、図例では、このキッチン天板３１に、水槽（シンク、ボウル）３２、水栓金具３３及び加熱機器としてのコンロ３４を組み込んだ厨房家具３０を示している。また、厨房家具３０は、第１壁２に対して直交方向に延びるように長尺とされたいわゆるＩ型で、そのダイニングスペース８側に天井に至るような壁等が設けられていない対面式とされている。
また、図例では、この厨房家具３０（キッチン天板３１）を、その間口方向一方側側面を第１壁２に当接させて設置した例を示している。また、この厨房家具３０は、その間口方向他方側側面側に、キッチンスペース７とダイニングスペース８との往来が可能な空間を設けるように設置するようにしてもよい。
【００２０】
また、本実施形態では、厨房家具３０のダイニングスペース８側の端部に、キッチン天板３１から立ち上がるように設けられた立壁部３５を設けており、この立壁部３５の上端部に設けられた天板を、キッチンカウンターとしての立壁天板３７としている。
この立壁天板３７は、厨房家具３０の全長（間口方向の全体）に亘って設けられており、図例では、この立壁天板３７を、その長手方向一端面を第１壁２に当接させて設置した例を示している。
また、この立壁天板３７は、キッチン天板３１と同様、人造大理石から形成されたものとしてもよく、キッチン天板３１と同一材料から形成されたものとしてもよい。または、この立壁天板３７を、他の合成樹脂系材料や、木質系材料等から形成するようにしてもよい。
【００２１】
また、この立壁天板３７は、その幅寸法（厨房家具３０の奥行方向に沿う寸法）がキッチン天板３１の幅寸法（厨房家具３０の奥行方向に沿う寸法）よりも小さい寸法とされている。図例では、厨房家具３０のダイニングスペース８側面（厨房家具３０の奥行方向後側面）側に、立壁部３５の厚さ寸法（厨房家具３０の奥行方向に沿う寸法）に概ね応じた奥行寸法とされ、ダイニングスペース８側に略全面に亘って開口した収納部３６を設けた例を示している。このような収納部３６を設けた場合には、立壁天板３７の幅寸法を、例えば、２００ｍｍ〜４００ｍｍ程度としてもよい。また、図例では、この収納部３６の開口を開閉する扉（引戸）を設けた例を示している。なお、このような収納部３６を設けない場合には、立壁天板３７の幅寸法を、小さくするようにしてもよく、例えば、５０ｍｍ〜２００ｍｍ程度としてもよい。なお、立壁天板３７は、その幅方向両側端部の両方または一方がその下側の立壁部３５から幅方向外方側に向けて少許突出したようなものとしてもよい。
【００２２】
また、この立壁天板３７の床面から上面までの高さ寸法（立壁天板３７が設けられた部位の厨房家具３０自体の高さ寸法）Ｈ３（図３（ａ）参照）は、１１００ｍｍ〜１３００ｍｍ程度としてもよい。また、この高さ寸法Ｈ３は、キッチン天板３１の上面から立壁天板３７の上面までの高さ寸法（立壁部３５の上下寸法）が２００ｍｍ〜４００ｍｍ程度となるように、キッチン天板３１の床面から上面までの高さ寸法Ｈ４に応じて適宜、設定するようにしてもよい。
このようなキッチン天板３１から小上がり段差状の立壁部３５を厨房家具３０のダイニングスペース８側の端部に設けた態様とすることで、キッチン天板３１の上面に載置された種々の物品等や、手元をダイニングスペース８側から隠すことができ、すっきりとした印象を与えることができる。また、立壁部３５を上記程度の上下寸法とすることで、キッチンスペース７と対面側のダイニングスペース８とが立壁部３５によって大きく遮られるようなことがなく、当該厨房家具３０の手前（キッチンスペース７）側に立つ使用者から対面側を見渡すことができる。
【００２３】
なお、図１において、符号３８は、厨房家具３０の間口方向他方側側面に設けられたエンドパネル、符号３９は、コンロ３４の上方に配設される換気扇等を内蔵したレンジフードである。なお、厨房家具３０の間口方向一方側側面にも同様のエンドパネルを設けるようにしてもよい。
また、厨房家具３０としては、図例のようないわゆるＩ型キッチンに限られない。例えば、一部が第１壁２のキッチンスペース７側の部位に沿うように設けられたいわゆるＬ型キッチンとしてもよく、このようなＬ型キッチンに加え、さらに第２壁３に沿うように一部が設けられたいわゆるコ字型キッチン等としてもよい。本実施形態に係る収納構造が連続するように設けられる厨房家具３０としては、その他、種々の態様とされた厨房家具３０の採用が可能である。
【００２４】
壁際キャビネット１０は、天板１１や背板、両側板、底板（地板）等を備えた略箱形状とされている。この壁際キャビネット１０の天板１１は、厨房家具３０の立壁天板３７と同色同柄状とされたものとしてもよく、例えば、立壁天板３７と同一材料から形成されたものとしてもよい。または、立壁天板３７とは異なる材料から形成されたものとしてもよい。
また、この壁際キャビネット１０には、図２に示すように、ダイニングスペース８側（反第１壁側）に開口した収納部１４，１６，１８が設けられている。
【００２５】
本実施形態では、壁際キャビネット１０の間口方向（長手方向）を区画するように複数（図例では、３つ）の収納部１４，１６，１８を設けた例を示している。これら収納部１４，１６，１８は、仕切板等によって仕切られている。また、図例では、間口方向両側の収納部１４，１８を、上下に複数段の抽斗１５，１５，１５，１９，１９，１９をそれぞれに設けた抽斗収納とした例を示している（図３（ａ）も参照）。また、間口方向中央の収納部１６を、この収納部１６の開口を開閉する扉１７，１７を設けた開き収納とした例を示している。なお、扉１７，１７は、ガラスや透明樹脂等の透明性または透光性を有したものとしてもよく、または、収納物が見え難い不透明な木質系材料等からなるものとしてもよい。また、収納部１６内を上下に区画する棚板等を設けるようにしてもよい。また、壁際キャビネット１０の収納部１４，１６，１８は、図例のような抽斗収納と開き収納とからなるものに限られず、扉としての引戸を設けた収納としてもよく、その他、種々の態様とされた収納部としてもよい。また、壁際キャビネット１０に、単一または３つ以外の複数の収納部を設けた態様としてもよく、一部または全ての収納部の開口を開閉する扉等を設けないようにしてもよい。
【００２６】
この壁際キャビネット１０は、図２に示すように、その奥行寸法（立壁天板３７の長手方向に沿う寸法）Ｄ１が仕切キャビネット２０の奥行寸法（立壁天板３７の幅方向に沿う寸法）Ｄ２よりも小さい寸法とされている。この壁際キャビネット１０の奥行寸法Ｄ１は、ダイニングスペース８廻りの小物等の収納が可能なように、例えば、２００ｍｍ〜４００ｍｍ程度としてもよい。図例では、この壁際キャビネット１０の奥行寸法Ｄ１を、立壁天板３７の幅寸法と略同寸法とした例を示しており、３００ｍｍ程度とした例を示している。
また、この壁際キャビネット１０は、図３（ａ）に示すように、その高さ寸法（床面から天板１１上面までの高さ寸法）Ｈ１が、立壁天板３７の床面から上面までの高さ寸法Ｈ３及び仕切キャビネット２０の高さ寸法（床面から天板２１上面までの高さ寸法）Ｈ２よりも小さい寸法とされている。つまり、壁際キャビネット１０の上面の高さＨ１を、立壁天板３７の上面の高さＨ３及び仕切キャビネット２０の上面の高さＨ２よりも低くしている。この壁際キャビネット１０の高さ寸法Ｈ１は、壁際キャビネットの上面が、椅子等に座位状態で作業し易い高さとなるように、６００ｍｍ〜８００ｍｍ程度、好ましくは、６５０ｍｍ〜７５０ｍｍ程度としてもよい。
なお、この壁際キャビネット１０の間口寸法（長さ寸法）は、立壁天板３７（厨房家具３０）と仕切キャビネット２０とによって区分されたダイニングスペース８に、図２に示すように、ダイニングテーブルや椅子等の設置が可能なように適宜、設定するようにしてもよい。
【００２７】
また、本実施形態では、この壁際キャビネット１０を、立壁天板３７の第１壁２側の端部から連続するように、その間口方向一方側のキッチン側側面（キッチンカウンター側の側面）１２を厨房家具３０の第１壁２側の端部のダイニングスペース８側面に当接または近接させて設置している。つまり、平面視した状態で、壁際キャビネット１０のキッチン側側面１２と立壁天板３７のダイニングスペース８側面とが略同一平面状となるように、壁際キャビネット１０を設置した構造としている。なお、上記したように、立壁天板３７のダイニングスペース８側の端部がその下側の立壁部３５から突出しているような場合には、この端部に壁際キャビネット１０のキッチン側端部が平面視して重なるように、壁際キャビネット１０を設置した構造としてもよい。
また、この壁際キャビネット１０は、天板１１の奥行方向後端部を第１壁２に当接させて設置されている。
なお、この壁際キャビネット１０の背板や側板等を、第１壁２に適宜の固定具等によって固定するようにしてもよい。
【００２８】
仕切キャビネット２０は、天板２１や背板、両側板、底板（地板）等を備えた略箱形状とされている。
本実施形態では、この仕切キャビネット２０の天板２１を、厨房家具３０の立壁天板３７と同色同柄状としている。例えば、この天板２１を、立壁天板３７と同一材料から形成されたものとしてもよい。なお、この天板２１は、その幅方向（仕切キャビネット２０の奥行方向）両側端部の両方または一方がその下側部位から幅方向外方側に向けて少許突出したようなものとしてもよい。
【００２９】
また、本実施形態では、この仕切キャビネット２０を、その間口方向を第１壁２に対して直交方向に沿わせるように設置し、その第１壁２側の側面（第１壁側側面）２２（天板２１の長手方向第１壁側端面）を第１壁２に当接させて設置している。また、本実施形態では、この仕切キャビネット１０の第１壁２側の端部に、壁際キャビネット１０の間口方向他方側のリビング側側面（反キッチンカウンター側の側面）１３を当接させた構造としている。つまり、平面視した状態で、壁際キャビネット１０のリビング側側面１３と仕切キャビネット２０のダイニングスペース８側面とが略同一平面状となるように、これら各キャビネット１０，２０を設置した構造としている。なお、上記したように、仕切キャビネット２０の天板２１のダイニングスペース８側の端部がその下側部位から突出しているような場合には、この端部に壁際キャビネット１０のリビング側端部が平面視して重なるようにこれらを設置した構造としてもよい。
なお、この仕切キャビネット２０の第１壁２側の側板等を、第１壁２に適宜の固定具等によって固定するようにしてもよい。
【００３０】
また、この仕切キャビネット２０には、図２に示すように、収納部２４，２６が設けられている。本実施形態では、仕切キャビネット２０の収納部全体を、リビングスペース９側に開口させている。また、本実施形態では、仕切キャビネット２０の間口方向（長手方向）を区画するように複数（図例では、２つ）の収納部２４，２６を設けた例を示している。これら収納部２４，２６は、仕切板等によって仕切られている。なお、各収納部２４，２６内を上下に区画する棚板等を設けるようにしてもよい。
また、本実施形態では、仕切キャビネット２０に、収納部２４，２６の開口を開閉する扉２５，２７を設けている。本実施形態では、複数の収納部２４，２６の開口をそれぞれに開閉する扉２５，２７を設けた例を示しており、また、扉２５，２７を開き戸とした例を示している。
【００３１】
なお、仕切キャビネット２０の収納部２４，２６の扉２５，２７としては、開き戸に限られず、引戸としてもよく、また、収納部２４，２６を抽斗収納とした場合には、抽斗の前板を扉として把握するようにしてもよい。また、扉２５，２７は、好ましくは、各収納部２４，２６に収納した収納物が見え難くなるように不透明な木質系材料等からなるものとしてもよく、または、ガラスや透明樹脂等の透明性または透光性を有したものとしてもよい。
また、仕切キャビネット２０に、単一または２つ以外の複数の収納部を設けた態様としてもよい。
また、仕切キャビネット２０のダイニングスペース８側面や反第１壁２側の側面（反第１壁側側面）２３を、化粧シートや突板の貼着、塗装等の表面化粧処理が施された化粧面とするようにしてもよい。
【００３２】
この仕切キャビネット２０の奥行寸法Ｄ２は、ダイニングスペース８やリビングスペース９廻りで必要となる家事用具や日用品等の収納が可能なように、例えば、４００ｍｍ〜６００ｍｍ程度としてもよい。図例では、この仕切キャビネット２０の奥行寸法Ｄ２を、４５０ｍｍ程度とした例を示している。
また、本実施形態では、図３（ａ）に示すように、仕切キャビネット２０の高さ寸法（床面から天板２１上面までの高さ寸法）Ｈ２を、立壁天板３７の床面から上面までの高さ寸法Ｈ３と略同寸法としている。つまり、本実施形態では、仕切キャビネット２０の上面を、立壁天板３７の上面と略同高さとしている。この仕切キャビネット２０の高さ寸法Ｈ２は、例えば、上記したように、１１００ｍｍ〜１３００ｍｍ程度としてもよい。
【００３３】
なお、この仕切キャビネット２０の間口寸法（長さ寸法）は、当該収納システム１が設置されるＬＤＫスペース６の形状や広さ等に応じて適宜、設定するようにしてもよい。例えば、図例のように四方壁によって区画されたＬＤＫスペース６の場合には、ダイニングスペース８とリビングスペース９との往来が容易に可能なように適宜、設定するようにしてもよい。例えば、この仕切キャビネット２０の反第１壁側側面２３と立壁天板３７（厨房家具３０）の間口方向他方側側面（反第１壁２側の側面）とが略同一平面状となるように、仕切キャビネット２０の間口寸法を設定するようにしてもよい。または、仕切キャビネット２０の反第１壁側側面２３が立壁天板３７（厨房家具３０）の間口方向他方側側面よりも第１壁２側に位置するように、仕切キャビネット２０の間口寸法を設定するようにしてもよい。つまりは、上記のように立壁天板３７（厨房家具３０）の間口方向一方側側面及び仕切キャビネット２０の第１壁側側面２２を、第１壁２に当接させた場合には、仕切キャビネット２０の間口寸法を、立壁天板３７（厨房家具３０）の間口寸法と略同寸法または立壁天板３７（厨房家具３０）の間口寸法よりも小さい寸法としてもよい。また、仕切キャビネット２０の間口寸法を、立壁天板３７（厨房家具３０）の間口寸法の１／３以上、好ましくは１／２以上としてもよい。
【００３４】
本実施形態に係る収納構造及び収納システムは、上述のような構成としたことで、ダイニングスペース８廻りに収納部を確保することができ、また、ダイニングスペース８とリビングスペース９とを一連の空間としつつも区分することができる。
つまり、壁際キャビネット（第１キャビネット）１０及び仕切キャビネット（第２キャビネット２０）によってダイニングスペース８廻りに収納部１４，１６，１８，２４，２６を設けることができ、これらを利用してダイニングスペース８廻りの家事用具や日用品、小物等の種々の収納物を収納することができる。
【００３５】
また、仕切キャビネット２０をダイニングスペース８とこれに隣接するリビングスペース９とを区分するように設けているので、ダイニングスペース８とリビングスペース９とを一連の空間としつつも仕切キャビネット２０によって区分することができる。
また、壁際キャビネット１０を対面式の立壁天板（キッチンカウンター）３７の壁側の端部から連続するように設け、仕切キャビネット２０を壁際キャビネット１０の反立壁天板側の端部から連続するようにかつ立壁天板３７と略平行状に設けている。従って、立壁天板３７（厨房家具３０）に連続するように、これら壁際キャビネット１０及び仕切キャビネット２０によって平面視Ｌ型収納が構成され、これら各キャビネット１０，２０を個別にダイニングスペース８やリビングスペース９に設置した場合と比べて、まとまった印象を与えることができ、見栄えを向上させることができる。また、本実施形態では、厨房家具３０のダイニングスペース８側に薄型の収納部３６を設けているので、この厨房家具３０の収納部３６とによって言わばコ字型の収納を構成することができる。
【００３６】
また、壁際キャビネット１０の高さ寸法Ｈ１を、立壁天板３７の床面から上面までの高さ寸法Ｈ３及び仕切キャビネット２０の高さ寸法Ｈ２よりも小さい寸法としているので、壁際キャビネット１０の上面が、立壁天板３７（厨房家具３０）よりも低い位置となる。これにより、第１壁２のダイニングスペース８の部位に沿わせるように設けた壁際キャビネット１０が圧迫感を与えるようなことがなく、また、第１壁２のダイニングスペース８の部位に設けられた腰高窓が壁際キャビネット１０によって覆われるようなことを抑制することもできる（図３（ａ）参照）。
また、本実施形態では、壁際キャビネット１０の高さ寸法を、６００ｍｍ〜８００ｍｍ程度（好ましくは、６５０ｍｍ〜７５０ｍｍ程度）としている。従って、壁際キャビネット１０の上面が、椅子等に座位状態で作業し易い高さ位置となり、この壁際キャビネット１０の天板１１を、パソコン作業や仕事、化粧、勉強等の種々の作業を行う際にデスク状に利用することもできる。
また、壁際キャビネット１０の奥行寸法Ｄ１を、仕切キャビネット２０の奥行寸法Ｄ２よりも小さくしているので、ダイニングスペース８廻りに収納部を確保しながらも、壁際キャビネット１０によってダイニングスペース８が小さくなるようなことを抑制することができる。
【００３７】
また、本実施形態では、仕切キャビネット２０の天板２１を立壁天板３７と同色同柄状としている。従って、立壁天板３７と対向するようにダイニングスペース８を挟んで設置される仕切キャビネット２０の上面側が、立壁天板３７と同様の外観を呈することとなり、見栄えを向上させることができる。
【００３８】
また、本実施形態では、仕切キャビネット２０の収納部２４，２６全体を、リビングスペース９側に開口させているので、仕切キャビネット２０の収納部２４，２６を、リビングスペース９側から容易に利用することができる。また、本実施形態のように、仕切キャビネット２０の第１壁側側面２２を第１壁２に当接させ、その第１壁２側の端部に壁際キャビネット１０のリビング側側面１３を当接させた構造とした場合にも、仕切キャビネット２０の第１壁側収納部２４を有効に利用することができる。
また、本実施形態では、仕切キャビネット２０に、収納部２４，２６の開口を開閉する扉２５，２７を設けている。従って、壁際に沿わずに目立ち易くなり易い仕切キャビネット２０の収納部２４，２６の開口を扉２５，２７によって閉鎖することができ、収納物を目立ち難くすることができる。
【００３９】
また、本実施形態では、仕切キャビネット２０の高さ寸法Ｈ２を、立壁天板３７の床面から上面までの高さ寸法Ｈ３と略同寸法とし、仕切キャビネット２０の上面を、立壁天板３７の上面と略同高さとしている。従って、立壁天板３７と対向するようにダイニングスペース８を挟んで設置される仕切キャビネット２０の上面が、立壁天板３７の上面と略同高さ位置となり、すっきりとした印象を与えることができ、見栄えを向上させることができる。また、本実施形態のように、仕切キャビネット２０の天板部２１を立壁天板３７と同色同柄状とすれば、これらが同種の言わば組み合わせ家具のような外観を呈し、見栄えをより向上させることができる。なお、このような態様に代えて、仕切キャビネット２０の天板部２１を、立壁天板３７と異色状としたり、異柄状としたりしてもよい。この場合は、仕切キャビネット２０の天板部２１と壁際キャビネット１０の天板部１１とを同色同柄状としてもよい。
【００４０】
また、本実施形態では、仕切キャビネット２０の高さ寸法Ｈ２を、１１００ｍｍ〜１３００ｍｍ程度としている。従って、立位状態では、リビングスペース９側とダイニングスペース８側及びキッチンスペース７側とが仕切キャビネット２０によって遮られずに互いに見渡すことができ、繋がりのある雰囲気を維持することができる。また、仕切キャビネット２０の近傍に設けられたリビングスペース９のソファ等に座位状態では、リビングスペース９側とダイニングスペース８側及びキッチンスペース７側とが仕切キャビネット２０によって遮られ、仕切キャビネット２０のリビングスペース９側をプライベート空間的に利用することができる。なお、仕切キャビネット２０の高さ寸法Ｈ２は、上記のような観点から、１５００ｍｍ以下としてもよい。
【００４１】
次に、本実施形態に係る収納構造及び収納システムの一変形例について、図３（ｂ）及び図４を参照して説明する。
なお、上記した例との相違点について主に説明し、同様の構成については、同一符号を付し、その説明を省略または簡略に説明する。
【００４２】
図３（ｂ）は、第１変形例に係る収納構造及び収納システム１Ａを示しており、本変形例では、仕切キャビネット２０Ａの構成が上記した例とは異なる。
本変形例では、仕切キャビネット２０Ａの上面を、厨房家具３０の立壁天板３７の上面よりも低くしている。つまり、仕切キャビネット２０Ａの高さ寸法Ｈ２Ａを、立壁天板３７の床面から上面までの高さ寸法Ｈ３よりも小さくしている。
このような構成とすることで、仕切キャビネット２０が比較的に低くなり、仕切キャビネット２０によってダイニングスペース８とリビングスペース９とを区分しながらもより繋がりのある雰囲気を醸し出すことができる。
【００４３】
また、本変形例では、仕切キャビネット２０Ａの上面を、厨房家具３０のキッチン天板３１の上面と略同高さとしている。つまり、仕切キャビネット２０Ａの高さ寸法Ｈ２Ａを、キッチン天板３１の床面から上面までの高さ寸法Ｈ４と略同寸法としている。つまりは、この仕切キャビネット２０Ａの高さ寸法Ｈ２Ａを、７５０ｍｍ〜９５０ｍｍ程度、好ましくは８００ｍｍ〜９００ｍｍ程度としている。
このような構成とすることで、仕切キャビネット２０Ａの上面が、立位状態で作業し易い成人の腰高さ付近の高さ位置となり、この仕切キャビネット２０Ａの天板２１を、アイロン掛けや洗濯物等をたたむ等の家事作業等を行う際に利用することができる。また、壁際キャビネット１０を上記のような高さ寸法Ｈ１とすることで、これら壁際キャビネット１０及び仕切キャビネット２０Ａの上面を利用して、ダイニングスペース８廻りで種々の作業を行うことができる。
【００４４】
図４（ａ）は、第２変形例に係る収納構造及び収納システム１Ｂを示しており、本変形例では、仕切キャビネット２０Ｂの構成が上記した例とは異なる。
本変形例では、仕切キャビネット２０Ｂの間口方向に複数設けられた収納部２４，２６Ａのうちの少なくとも第１壁２側の収納部（第１壁側収納部）２４をリビングスペース９側に開口させ、反第１壁側の収納部（反第１壁側収納部）２６Ａの少なくとも一つをダイニングスペース８側に開口させている。図例では、２つの収納部２４，２６Ａのうちの第１壁２側の第１壁側収納部２４を上記した例と同様、リビングスペース９側に開口させ、反第１壁側の反第１壁側収納部２６Ａをダイニングスペース８側に開口させた例を示している。第１壁側収納部２４の間口寸法は、反第１壁側収納部２６Ａが壁際キャビネット１０に重ならないよう、壁際キャビネット１０の奥行寸法Ｄ１と略同寸法としてもよく、または、壁際キャビネット１０の奥行寸法Ｄ１よりも大きい寸法としてもよい。
【００４５】
このような構成とすることで、仕切キャビネット２０Ｂの収納部２４，２６Ａを、ダイニングスペース８側及びリビングスペース９側から容易に利用することができる。また、上記した例と同様、仕切キャビネット２０Ｂの第１壁側側面２２を第１壁２に当接させ、この仕切キャビネット２０Ｂの第１壁２側の端部に壁際キャビネット１０のリビング側側面１３を当接させた構造としながらも、仕切キャビネット２０Ｂの第１壁側収納部２４を有効に利用することができる。
【００４６】
なお、本変形例では、上記した例と同様、複数の収納部２４，２６Ａの開口をそれぞれに開閉する扉２５，２７を設けた態様とした例を示しているが、少なくともリビングスペース９側に開口した第１壁側収納部２４を開閉する扉２５を設け、ダイニングスペース８側に開口した反第１壁側収納部２６Ａを開閉する扉を設けないようにしてもよい。さらには、全ての収納部２４，２６Ａの開口を開閉する扉を設けないようにしてもよい。
また、本変形例では、上記した例と同様、仕切キャビネット２０Ｂに、間口方向に２つの収納部２４，２６Ａを設けた例を示しているが、３つ以上の収納部を設けるようにしてもよい。この場合には、少なくとも第１壁２側の収納部をリビングスペース９側に開口させ、反第１壁側の収納部の少なくとも一つをダイニングスペース８側に開口させるようにしてもよい。
【００４７】
また、本変形例及び上記した例では、仕切キャビネット２０，２０Ａ，２０Ｂの各収納部２４，２６，２６Ａを、仕切キャビネット２０，２０Ａ，２０Ｂの奥行方向の概ね全体に亘って設けた例を示しているが、このような態様に限られない。例えば、仕切キャビネット２０，２０Ａ，２０Ｂ内を奥行方向に区画する仕切板等を設け、ダイニングスペース８側及びリビングスペース９側のそれぞれに開口した収納部を設けたような態様としてもよい。この場合は、第１壁２側の収納部は、上記同様のリビングスペース９側に開口する収納部２４とし、その反第１壁側の収納部を、ダイニングスペース８側及びリビングスペース９側のそれぞれに開口した収納部としてもよい。
【００４８】
図４（ｂ）は、第３変形例に係る収納構造及び収納システム１Ｃを示しており、本変形例では、厨房家具３０Ａ及び仕切キャビネット２０Ｃの構成が上記した例とは異なる。
本変形例では、厨房家具３０Ａのダイニングスペース８側の端部に立壁部３５を設けずに、厨房家具３０Ａの上面を、全面に亘ってキッチン天板３１Ａの上面によって構成した例を示している。つまり、本変形例では、壁際キャビネット１０の間口方向一方側端部が連続するように設けられるキッチンカウンターを、厨房家具３０Ａのキッチン天板３１Ａとしている。このキッチン天板３１Ａの第１壁２側の端部から連続するように、上記同様に壁際キャビネット１０を設置した構造としている。
この厨房家具３０Ａのキッチン天板３１Ａは、上記したキッチン天板３１と略同様の構成とされている。また、このキッチン天板３１Ａの床面から上面までの高さ寸法は、上記同様、７５０ｍｍ〜９５０ｍｍ程度、好ましくは８００ｍｍ〜９００ｍｍ程度としてもよい。なお、この厨房家具３０Ａのダイニングスペース８側にも上記した厨房家具３０と略同様の収納部を設けるようにしてもよい。
【００４９】
また、本変形例では、仕切キャビネット２０Ｃの収納部全体を、ダイニングスペース８側に開口させた例を示している。本変形例では、上記した第１壁側収納部２４を設けずに、ダイニングスペース８側に開口した反第１壁側の収納部２６Ａのみを設けたような態様とした例を示している。このような構成とすることで、仕切キャビネット２０Ｃのリビングスペース９側の面がすっきりとなり、仕切キャビネット２０Ｃのリビングスペース９側の見栄えを向上させることができる。なお、仕切キャビネット２０Ｃのリビングスペース９側の面を、上記したような化粧面としてもよい。また、収納部２６Ａの間口寸法は、図例のようなものに限られず、この収納部２６Ａが壁際キャビネット１０に重ならないよう、壁際キャビネット１０の奥行方向手前側面近傍に至るまでの間口寸法とされたものとしてもよい。また、この仕切キャビネット２０Ｃの収納部２６Ａとしては、図例のような態様に限られず、種々の態様とされたものとしてもよく、また、ダイニングスペース８側にのみ開口する複数の収納部を設けた態様としてもよい。
【００５０】
なお、本変形例においては、仕切キャビネット２０Ｃの天板２１を、厨房家具３０Ａのキッチン天板３１Ａと同色同柄状としてもよい。
また、本変形例においては、仕切キャビネット２０Ｃの上面を、厨房家具３０Ａのキッチン天板３１Ａの上面と略同高さとしてもよい。つまり、上記第１変形例のように、仕切キャビネット２０Ｃの高さ寸法Ｈ２Ａ（図３（ｂ）参照）を、キッチン天板３１Ａの床面から上面までの高さ寸法Ｈ４（図３（ｂ）参照）と略同寸法としてもよい。このような構成とすれば、上記したように、仕切キャビネット２０Ｃの天板２１を、家事作業等を行う際に利用することができる。また、キッチン天板３１Ａと対向するようにダイニングスペース８を挟んで設置される仕切キャビネット２０Ｃの上面が、キッチン天板３１Ａの上面と略同高さ位置となり、すっきりとした印象を与えることができ、見栄えを向上させることができる。
または、仕切キャビネット２０Ｃの上面を、厨房家具３０Ａのキッチン天板３１Ａの上面よりも低くしたり、高くしたりしてもよい。
【００５１】
なお、上記各例において説明した互いに異なる構成を、適宜、組み替えたり、組み合わせたりして、適用するようにしてもよい。この場合は、各構成を適宜、必要に応じて変形するようにしてもよい。
また、上記した各例では、仕切キャビネット２０，２０Ａ，２０Ｂ，２０Ｃに、ダイニングスペース８側及びリビングスペース９側の両方または一方に開口した収納部を設けた例を示しているが、このような態様に加えて、仕切キャビネット２０，２０Ａ，２０Ｂ，２０Ｃの反第１壁側側面２３において開口する収納部を設けたような態様としてもよい。
また、上記した各例では、仕切キャビネット２０，２０Ａ，２０Ｂ，２０Ｃの第１壁側側面２２を第１壁２に当接させ、仕切キャビネット２０，２０Ａ，２０Ｂ，２０Ｃの第１壁２側の端部に壁際キャビネット１０のリビング側側面１３を当接させた構造とした例を示しているが、このような態様に限られない。例えば、仕切キャビネット２０，２０Ａ，２０Ｂ，２０Ｃの第１壁側側面２２を、壁際キャビネット１０のリビング側端部の奥行方向手前側面に当接させた構造としてもよい。この場合は、壁際キャビネット１０のリビング側側面１３を化粧面としてもよく、または、リビング側側面１３において開口する収納部を設けたような態様としてもよい。
また、上記した各例では、壁際キャビネット１０の間口方向一方側端部が連続するように設けられるキッチンカウンターを、厨房家具３０の立壁天板３７及び厨房家具３０Ａのキッチン天板３１Ａとした例を示しているが、このような態様に限られない。例えば、下方側にキャビネット等の収納箱を設けずに、支持脚等によって支持されたキッチンカウンター等としてもよい。本実施形態に係る収納構造が連続するように設けられるキッチンカウンターとしては、その他、種々の態様とされたキッチンカウンターの採用が可能である。
【符号の説明】
【００５２】
１，１Ａ，１Ｂ，１Ｃ          収納システム
１０                          壁際キャビネット（第１キャビネット）
１３                          リビング側側面（反キッチンカウンター側の側面）
２０，２０Ａ，２０Ｂ，２０Ｃ  仕切キャビネット（第２キャビネット）
２１                          天板
２２                          第１壁側側面（壁側の側面）
２４                          第１壁側収納部（壁側の収納部、収納部）
２５                          扉
２６，２６Ａ                  反第１壁側収納部（反壁側の収納部、収納部）
２７                          扉
３１Ａ                        キッチン天板（キッチンカウンター）
３７                          立壁天板（キッチンカウンター）
２                            第１壁（壁）
７                            キッチンスペース
８                            ダイニングスペース
９                            リビングスペース
Ｄ１                          壁際キャビネットの奥行寸法
Ｄ２                          仕切キャビネットの奥行寸法
Ｈ１          壁際キャビネット上面の高さ（壁際キャビネットの高さ寸法）
Ｈ２，Ｈ２Ａ  仕切キャビネット上面の高さ（仕切キャビネットの高さ寸法）
Ｈ３          立壁天板上面の高さ（立壁天板の床面から上面までの高さ寸法）
Ｈ４          キッチン天板上面の高さ（キッチン天板の床面から上面までの高さ寸法）
【図１】
2014094066.tif 000003
【図２】
2014094066.tif 000004
【図３】
2014094066.tif 000005
【図４】
2014094066.tif 000006